(57)【要約】【課題】電話機能を備えた通信手段との間に通信制御のための特別な回路等を設けることなく、通信手段を自動的にダイヤルさせることができ、使用者の使い勝手を向上させることのできる再生装置を提供すること。【解決手段】ＣＤ１１に記憶されているデ−タを読み出す読出手段と、読み出したデ−タを再生する再生手段とを備えた再生装置１０において、読出手段によりＣＤ１１に記憶されているＤＴＭＦ（Dual Tone Multi Frequency ）信号が読み出された場合、ＤＴＭＦ信号を携帯電話１９に出力する第１のＤＴＭＦ信号出力手段を装備する。【選択図】  図１
2004208137.tif 000002
【特許請求の範囲】
【請求項１】
記憶手段に記憶されているデ−タを読み出す読出手段と、読み出したデ−タを再生する再生手段とを備えた再生装置において、
前記読出手段により前記記憶手段に記憶されているＤＴＭＦ（Dual Tone Multi Frequency ）信号が読み出された場合、該ＤＴＭＦ信号を通信手段に出力する第１のＤＴＭＦ信号出力手段を備えていることを特徴とする再生装置。
【請求項２】
前記第１のＤＴＭＦ信号出力手段が、
前記ＤＴＭＦ信号を信号ラインを介して前記通信手段に出力するものであることを特徴とする請求項１記載の再生装置。
【請求項３】
前記第１のＤＴＭＦ信号出力手段が、
前記ＤＴＭＦ信号の信号音を音声出力手段から出力させて前記通信手段に取り込ませるものであることを特徴とする請求項１記載の再生装置。
【請求項４】
前記通信手段との接続状態を判断する接続状態判断手段を備え、
前記第１のＤＴＭＦ信号出力手段が、
前記接続状態判断手段により前記通信手段が信号ラインを介して接続されていると判断された場合、前記ＤＴＭＦ信号を前記信号ラインを介して前記通信手段に出力し、
前記接続状態判断手段により前記通信手段が前記信号ラインを介して接続されていないと判断された場合、前記ＤＴＭＦ信号の信号音を音声出力手段から出力させて前記通信手段に取り込ませるものであることを特徴とする請求項１記載の再生装置。
【請求項５】
記憶手段に記憶されているデ−タを読み出す読出手段と、読み出した前記デ−タを再生する再生手段とを備えた再生装置において、
前記読出手段により前記記憶手段に記憶されている電話番号デ−タが読み出された場合、該電話番号デ−タに対応するＤＴＭＦ信号を発生させるＤＴＭＦ信号発生手段と、
該ＤＴＭＦ信号発生手段により発生されたＤＴＭＦ信号を通信手段に出力する第２のＤＴＭＦ信号出力手段とを備えていることを特徴とする再生装置。
【請求項６】
前記第２のＤＴＭＦ信号出力手段が、
前記ＤＴＭＦ信号を信号ラインを介して前記通信手段に出力するものであることを特徴とする請求項５記載の再生装置。
【請求項７】
前記第２のＤＴＭＦ信号出力手段が、
前記ＤＴＭＦ信号の信号音を音声出力手段から出力させて前記通信手段に取り込ませるものであることを特徴とする請求項５記載の再生装置。
【請求項８】
前記通信手段との接続状態を判断する接続状態判断手段を備え、
前記第２のＤＴＭＦ信号出力手段が、
前記接続判断手段により前記通信手段が信号ラインを介して接続されていると判断された場合、前記ＤＴＭＦ信号を前記信号ラインを介して前記通信手段に出力し、
前記接続判断手段により前記通信手段が前記信号ラインを介して接続されていないと判断された場合、前記ＤＴＭＦ信号の信号音を音声出力手段から出力させて前記通信手段に取り込ませるものであることを特徴とする請求項５記載の再生装置。
【請求項９】
地図デ−タを利用して、設定された目的地までの経路誘導を行うことのできるナビゲ−ション装置に採用され、前記目的地の設定が行われた場合、前記読出手段が、前記目的地の情報として登録されている電話番号デ−タを読み出し、
前記ＤＴＭＦ信号発生手段が、前記電話番号デ−タに対応するＤＴＭＦ信号を発生させるものであることを特徴とする請求項５〜８のいずれかの項に記載の再生装置。
【発明の詳細な説明】
【０００１】
【発明の属する技術分野】
本発明は再生装置に関し、より詳細にはダイヤル機能を簡略化させることのできる再生装置に関する。
【０００２】
【従来の技術】
近年、ＣＤやＭＤ等の記録媒体に記録された音声デ−タを読み出し、音声を再生する機能を備えたオ−ディオ装置や、ＤＶＤやＣＤ等の記録媒体やハ−ドディスク等の内蔵記憶装置に記憶された電子地図デ−タを読み出し、地図画像を再生する機能を備えたナビゲ−ション装置に、携帯電話と接続できる機能が装備されている。前記オ−ディオ装置や前記ナビゲ−ション装置と、前記携帯電話とを接続することにより、ハンズフリ−通話機能、インタ−ネットやメ−ル通信機能等を実現させることができるようになっている。これら機能を利用する場合、通常携帯電話を直接操作せずに、前記オ−ディオ装置や前記ナビゲ−ション装置側から前記携帯電話の操作（ダイヤル発信等）が行えるようになっている。
【０００３】
ナビゲ−ション装置と車載電話とが接続された他の例として、特許文献１には、車両故障が発生して停車した際に、故障原因と現在位置とを自動的に通報できる車載用通信装置が開示されており、通信制御装置が、事故や故障等を検知すると、前記車載電話を制御して所定の電話番号に自動的にダイヤル発信することにより、外部への通報が行えるとしている。
【０００４】
ところで、プッシュホン電話機では、電話番号の伝送にＤＴＭＦ信号（ト−ン信号）が使用されている。ＤＴＭＦ信号は、２つの音声周波数の音を組み合わせてダイヤルする方式のために作成されるものであり、俗に言う「ピッポッパッ」という音により数字などが伝送できるようになっている。ＤＴＭＦ信号は、ダイヤルアップのみならず、留守番電話、伝言ダイヤル、あるいはテレホンバンキング等の操作を行うためにも使用されている。
【０００５】
このようなＤＴＭＦ信号を他の制御に利用した例として、特許文献２には、ディスク再生装置の再生動作を制御するコマンドをＤＴＭＦ信号に対応付けて予め定義付けしておき、ディスクから読み出されたＤＴＭＦ信号をデコ−ドし、コマンドに対応する指令信号をサ−ボ制御回路に与えて再生制御を行うディスク再生装置が開示されている。
【０００６】
【特許文献１】
特開平９−１３９７０９号公報  （図１）
【特許文献２】
特開平８−１８０６４９号公報  （第３頁、図１）
【０００７】
【発明が解決しようとする課題】
しかしながら、従来のオ−ディオ装置やナビゲ−ション装置などの再生装置には、携帯電話等の通信手段との間の通信制御を行うためのインタ−フェ−スとなる通信制御回路が別途設けられており、前記再生装置と前記通信手段とを制御ライン等で接続しなければならず、また、特許文献１記載の車両用通信装置も同様に通信制御装置による制御が必要であり、回路構成が複雑となり、コスト高になるという課題があった。
【０００８】
また、特許文献２記載のディスク再生装置では、ディスクに記録されているＤＴＭＦ信号をディスクの再生動作の制御に使用するものであるが、前記ＤＴＭＦ信号を用いてディスク再生装置と携帯電話等の通信手段とを連携させるものではなく、従来、ＤＴＭＦ信号を用いて再生装置側から通信手段のダイヤルアップを実行させるという機能を実現させるものがなかった。
【０００９】
本発明は上記課題に鑑みなされたものであって、電話機能を備えた通信手段との間に通信制御のための特別な回路等を設けることなく、自動的にダイヤルさせることができ、使用者の使い勝手を向上させることのできる再生装置を提供することを目的としている。
【００１０】
【課題を解決するための手段及びその効果】
上記目的を達成するために本発明に係る再生装置（１）は、記憶手段に記憶されているデ−タを読み出す読出手段と、読み出したデ−タを再生する再生手段とを備えた再生装置において、前記読出手段により前記記憶手段に記憶されているＤＴＭＦ（Dual Tone Multi Frequency ）信号が読み出された場合、該ＤＴＭＦ信号を通信手段に出力する第１のＤＴＭＦ信号出力手段を備えていることを特徴としている。
【００１１】
上記再生装置（１）によれば、前記第１のＤＴＭＦ信号出力手段により前記記憶手段（種々の記憶媒体や内蔵記憶装置を含む）から読み出された前記ＤＴＭＦ信号を電話機能を備えた前記通信手段に出力することができる。したがって、前記通信手段では、取り込んだ前記ＤＴＭＦ信号に基づいて、自動的にダイヤルアップが行われ、使用者は、ダイヤル入力を行うことなく前記通信手段の発信ボタンを押すだけで、簡単にダイヤル先に接続することができ、ダイヤル入力の手間を省き、使い勝手を向上させることができる。また、従来必要であった再生装置と通信手段との間の通信制御を行うためのインタ−フェ−スとなる特別な回路や制御ライン等が必要なくなるので、装置のコストダウンを図ることができる。
【００１２】
また本発明に係る再生装置（２）は、上記再生装置（１）において、前記第１のＤＴＭＦ信号出力手段が、前記ＤＴＭＦ信号を信号ラインを介して前記通信手段に出力するものであることを特徴としている。
上記再生装置（２）によれば、前記ＤＴＭＦ信号を信号ラインを介して前記通信手段に出力することができ、前記ＤＴＭＦ信号の信号音を出力することなく前記ＤＴＭＦ信号を前記通信手段に出力することができる。
【００１３】
また本発明に係る再生装置（３）は、上記再生装置（１）において、前記第１のＤＴＭＦ信号出力手段が、前記ＤＴＭＦ信号の信号音を音声出力手段から出力させて前記通信手段に取り込ませるものであることを特徴としている。
上記再生装置（３）によれば、前記ＤＴＭＦ信号の信号音を音声出力手段から出力させて前記通信手段に取り込ませることができ、信号ラインを介さずに前記信号音により前記通信手段にダイヤルアップを行わせることができる。
【００１４】
また本発明に係る再生装置（４）は、上記再生装置（１）において、前記通信手段との接続状態を判断する接続状態判断手段を備え、前記第１のＤＴＭＦ信号出力手段が、前記接続状態判断手段により前記通信手段が信号ラインを介して接続されていると判断された場合、前記ＤＴＭＦ信号を前記信号ラインを介して前記通信手段に出力し、前記接続状態判断手段により前記通信手段が前記信号ラインを介して接続されていないと判断された場合、前記ＤＴＭＦ信号の信号音を音声出力手段から出力させて前記通信手段に取り込ませるものであることを特徴としている。
【００１５】
上記再生装置（４）によれば、前記通信手段との接続状態によって、前記ＤＴＭＦ信号の出力方法が選択されるので、前記通信手段との接続状態に合わせてより適切に前記ＤＴＭＦ信号を出力することができる。
【００１６】
また本発明に係る再生装置（５）は、記憶手段に記憶されているデ−タを読み出す読出手段と、読み出した前記デ−タを再生する再生手段とを備えた再生装置において、前記読出手段により前記記憶手段に記憶されている電話番号デ−タが読み出された場合、該電話番号デ−タに対応するＤＴＭＦ信号を発生させるＤＴＭＦ信号発生手段と、該ＤＴＭＦ信号発生手段により発生されたＤＴＭＦ信号を通信手段に出力する第２のＤＴＭＦ信号出力手段とを備えていることを特徴としている。
【００１７】
上記再生装置（５）によれば、前記記憶手段に記憶されている電話番号デ−タが読み出された場合、該電話番号デ−タに対応するＤＴＭＦ信号を発生させて、該ＤＴＭＦ信号を通信手段に出力させることができ、上記再生装置（１）と同様の効果を得ることができる。
【００１８】
また本発明に係る再生装置（６）は、上記再生装置（５）において、前記第２のＤＴＭＦ信号出力手段が、前記ＤＴＭＦ信号を信号ラインを介して前記通信手段に出力するものであることを特徴としている。
上記再生装置（６）によれば、上記再生装置（２）と同様の効果を得ることができる。
【００１９】
また本発明に係る再生装置（７）は、上記再生装置（５）において、前記第２のＤＴＭＦ信号出力手段が、前記ＤＴＭＦ信号の信号音を音声出力手段から出力させて前記通信手段に取り込ませるものであることを特徴としている。
上記再生装置（７）によれば、上記再生装置（３）と同様の効果を得ることができる。
【００２０】
また本発明に係る再生装置（８）は、上記再生装置（５）において、前記通信手段との接続状態を判断する接続状態判断手段を備え、前記第２のＤＴＭＦ信号出力手段が、前記接続判断手段により前記通信手段が信号ラインを介して接続されていると判断された場合、前記ＤＴＭＦ信号を前記信号ラインを介して前記通信手段に出力し、前記接続判断手段により前記通信手段が前記信号ラインを介して接続されていないと判断された場合、前記ＤＴＭＦ信号の信号音を音声出力手段から出力させて前記通信手段に取り込ませるものであることを特徴としている。
上記再生装置（８）によれば、上記再生装置（４）と略同様の効果を得ることができる。
【００２１】
また本発明に係る再生装置（９）は、上記再生装置（５）〜（８）のいずれかにおいて、地図デ−タを利用して、設定された目的地までの経路誘導を行うことのできるナビゲ−ション装置に採用され、前記目的地の設定が行われた場合、前記読出手段が、前記目的地の情報として登録されている電話番号デ−タを読み出し、前記ＤＴＭＦ信号発生手段が、前記電話番号デ−タに対応するＤＴＭＦ信号を発生させるものであることを特徴としている。
【００２２】
上記再生装置（９）によれば、前記ナビゲ−ション装置において、前記目的地の設定が行われると、前記目的地の電話番号を前記通信手段に自動的にダイヤルアップさせることができ、使用者は、ダイヤル入力を行なうことなく前記通信手段の発信ボタンを押すだけで、通話接続することが可能となる。したがって、前記目的地に関する情報の取得や、必要な予約等を簡単に行なうことができるようになり、使い勝手の向上したナビゲ−ション装置を実現することができる。
【００２３】
【発明の実施の形態】
以下、本発明に係る再生装置の実施の形態を図面に基づいて説明する。図１は、実施の形態（１）に係る再生装置の要部を概略的に示したブロック図である。
【００２４】
図中１０は、ＣＤ１１の再生が可能な車載用の再生装置を示しており、再生装置１０は、ＣＤ１１に記録されたデ−タ（音声信号等）を読み出すＣＤドライブ１２と、ＣＤドライブ１２で読み出された音声信号をディジタル信号処理して所定の音を作成する電子ボリュ−ム１３と、電子ボリュ−ム１３で作成された所定の音を増幅してスピ−カ１８ヘ出力するアンプ１４と、ＣＤドライブ１２や電子ボリュ−ム１３など再生装置１０の各部を制御するオ−ディオマイコン１５と、各種の操作を行うために設けられた操作スイッチ１６とを含んで構成されている。また、再生装置１０は、ＤＴＭＦ信号を出力するための信号ライン１７を介して携帯電話１９と接続できるようになっている。
【００２５】
このような再生装置１０において、ＣＤドライブ１２で読み出された音声信号は、電子ボリュ−ム１３へ出力され、電子ボリュ−ム１３においてディジタル信号処理され所定の音として作成された後、アンプ１４を介してスピ−カ１８から音声として出力されるようになっている。また、ＣＤ１１の内容に関連する情報が取得できる連絡先（電話番号）がＤＴＭＦ信号としてＣＤ１１に記録されている場合、該ＤＴＭＦ信号がＣＤドライブ１２において読み出されると、オ−ディオマイコン１５では、前記ＤＴＭＦ信号を信号ライン１７を介して携帯電話１９に出力可能か否か、すなわち携帯電話１９が有線接続されているか否かを判断し、出力可能であれば、ＣＤドライブ１２で読み出されたＤＴＭＦ信号を信号ライン１７を介して携帯電話１９に出力するようになっている。また、ＤＴＭＦ信号が信号ライン１７を介して携帯電話１９に出力可能でない場合、ＤＴＭＦ信号を信号音としてスピ−カ１８から出力するようになっている。
【００２６】
そして携帯電話１９では、ＤＴＭＦ信号を取り込むと、ＤＴＭＦ信号を解読して、ＤＴＭＦ信号の示す電話番号を表示ディスプレイにダイヤルアップ表示する処理が行われ、使用者による発信ボタンの入力待機モ−ドに入るようになっている。
【００２７】
次に実施の形態（１）に係る再生装置１０におけるオ−ディオマイコン１５と携帯電話１９との行うダイヤル処理動作を図２に示したフロ−チャ−トに基づいて説明する。
【００２８】
オ−ディオマイコン１５では、まず、ステップＳ１において、ＣＤ１１からデ−タの読み出し処理を行い、その後ステップＳ２に進む。ステップＳ２では、読み出したデ−タにＤＴＭＦ信号が含まれているか否かを判断し、ＤＴＭＦ信号が含まれていないと判断すればステップＳ１に戻り、一方、ＤＴＭＦ信号が含まれていると判断すればステップＳ３に進む。
【００２９】
ステップＳ３では、携帯電話１９が信号ライン１７を介して接続されているか否かを判断し、携帯電話１９が信号ライン１７を介して接続されていると判断すればステップＳ４に進む。ステップＳ４では、読み出したＤＴＭＦ信号を信号ライン１７を介して携帯電話１９に出力する処理を行う。
一方、ステップＳ３において、携帯電話１９が信号ライン１７を介して接続されていないと判断すればステップＳ５に進む。ステップＳ５では、ＤＴＭＦ信号の信号音をスピ−カ１８から出力する処理を行う。
【００３０】
一方、携帯電話１９では、ステップＳ６において、信号ライン１７を介してＤＴＭＦ信号を受信、又はスピ−カ１８から出力されたＤＴＭＦ信号音を受信したか否かを判断し、ＤＴＭＦ信号及びＤＴＭＦ信号音を受信していないと判断すれば処理を終了し、一方、ＤＴＭＦ信号又はＤＴＭＦ信号音を受信したと判断すればステップＳ７に進む。ステップＳ７では、受信したＤＴＭＦ信号又はＤＴＭＦ信号音を電話番号に復号化して表示ディスプレイにダイヤルアップ表示する処理を行い、その後ステップＳ８に進む。
【００３１】
ステップＳ８では、タイマ−を作動させて例えば１０秒の間に発信スイッチがＯＮされたか否かを判断し、発信スイッチがＯＮされなかったと判断すれば処理を終了し、一方、発信スイッチがＯＮされたと判断すれば、ステップＳ９に進む。ステップＳ９では、表示ディスプレイに表示された電話番号に接続する処理を行い、その後処理を終了する。
【００３２】
上記実施の形態（１）に係る再生装置１０によれば、ＣＤ１１から読み出されたＤＴＭＦ信号を信号ライン１７を介して、または信号音としてスピ−カ１８から携帯電話１９に出力することができる。したがって、携帯電話１９では、取り込んだＤＴＭＦ信号に基づいて、自動的にダイヤルアップが行われ、使用者は、ダイヤル入力を行うことなく携帯電話１９の発信ボタンを押すだけで、簡単にダイヤル先に通話接続することができ、使用者によるダイヤル入力の手間を省き、使い勝手を向上させることができる。また、従来必要であった再生装置１０と携帯電話１９との間の通信制御を行うためのインタ−フェ−スとなる回路や制御ライン等が必要なくなるので、再生装置１０のコストダウンを図ることができる。
【００３３】
図３は、実施の形態（２）に係る再生装置が採用されたナビゲ−ション装置の要部を概略的に示したブロック図である。但し、図１に示した再生装置１０と同一機能を有する構成部品には同一符号を付し、その説明を省略することとする。
【００３４】
図中２０は、電子地図デ−タ等が記録されたＤＶＤ２１の再生が可能なナビゲ−ション装置を示しており、ナビゲ−ション装置２０は、ＤＶＤ２１に記録されたデ−タ（電子地図デ−タ、音声信号等）を読み出すＤＶＤドライブ２２と、ＤＶＤドライブ２２で読み出された音声信号をディジタル信号処理して所定の音を作成する電子ボリュ−ム１３と、電子ボリュ−ム１３で作成された所定の音を増幅してスピ−カ１８ヘ出力するアンプ１４と、電子地図デ−タ等のＲＯＭデ−タをデコ−ドするＲＯＭデコ−ダ２３と、ナビゲ−ション装置２０の各部を制御するナビマイコン２４と、ＲＯＭデコ−ダ２３でデコ−ドされた電話番号デ−タをＤＴＭＦ信号に符号化するＤＴＭＦ信号発生手段２５と、経路誘導を行うための地図等を表示するディスプレイ２６と、各種の操作を行うために設けられた操作スイッチ１６とを含んで構成されている。また、ナビゲ−ション装置２０は、信号ライン１７を介して携帯電話１９と接続できるようになっている。
【００３５】
ナビマイコン２４では、ＤＶＤドライブ１２で読み出した電子地図デ−タをＲＯＭデコ−ダ２３においてデコ−ドし、図示していないＧＰＳ受信機、車速センサ、ジャイロセンサにより割り出された自車位置とデコ−ドされた地図デ−タとを合わせるマップマッチング処理を行い、自車位置が正確に示された地図をディスプレイ２６に表示する。また、操作スイッチ１６からの目的地の設定情報を取り込むと、自車位置から目的地までの最適ル−トを探索し、これを誘導ル−トとして地図と共にディスプレイ２６に表示する。
【００３６】
また、目的地が設定された場合、予めＤＶＤ２１に目的地情報として登録されている電話番号デ−タを読み出し、ＤＴＭＦ信号発生手段２５において、前記電話番号デ−タをＤＴＭＦ信号に符号化し、該ＤＴＭＦ信号を電子ボリュ−ム１３に出力する。そして、前記ＤＴＭＦ信号が信号ライン１７を介して携帯電話１９に出力可能か否か、すなわち携帯電話１９が有線接続されているか否かを判断し、出力可能であれば、符号化されたＤＴＭＦ信号を信号ライン１７を介して携帯電話１９に出力するようになっている。また、前記ＤＴＭＦ信号を信号ライン１７を介して携帯電話１９に出力可能でない場合、前記ＤＴＭＦ信号を信号音としてスピ−カ１８から出力するようになっている。
【００３７】
そして携帯電話１９では、ＤＴＭＦ信号を取り込むと、ＤＴＭＦ信号を解読して、ＤＴＭＦ信号の示す電話番号を表示ディスプレイにダイヤルアップ表示する処理が行われ、使用者による発信ボタンの入力待機モ−ドに入るようになっている。
【００３８】
次に実施の形態（２）に係る再生装置が採用されたナビゲ−ション装置２０におけるナビマイコン２４と、携帯電話１９との行うダイヤル処理動作を図４に示したフロ−チャ−トに基づいて説明する。但し、携帯電話１９の行う処理動作は、図２に示したステップＳ６〜Ｓ９の処理動作と同様であるのでここではその説明を省略することとする。
【００３９】
ナビゲ−ション装置２０において、まずステップＳ１１で、使用者の操作に従って目的地設定処理を行い、その後ステップＳ１２に進む。ステップＳ１２では、目的地設定の確定操作があったか否かを判断し、確定操作がなければステップＳ１１に戻り、一方、目的地設定の確定操作があったと判断すればステップＳ１３に進む。ステップＳ１３では、設定された目的地の情報から電話番号デ−タを読み出し、その後ステップＳ１４に進む。ステップＳ１４では、読み出した電話番号デ−タをＤＴＭＦ信号に符号化する処理を行い、その後ステップＳ１５に進む。
【００４０】
ステップＳ１５では、携帯電話１９が信号ライン１７を介して接続されているか否かを判断し、携帯電話１９が信号ライン１７を介して接続されていると判断すれば、ステップＳ１６に進む。ステップＳ１６では、携帯電話１９に符号化されたＤＴＭＦ信号を出力する処理を行う。また一方、ステップＳ１５において、携帯電話１９が信号ライン１７を介して接続されていないと判断すれば、ステップＳ１７に進み、ステップＳ１７では、符号化されたＤＴＭＦ信号の信号音をスピ−カ１８を介して携帯電話１９に出力する処理を行う。
【００４１】
上記実施の形態（２）に係る再生装置が採用されたナビゲ−ション装置２０によれば、目的地の設定が行われると、ＤＶＤ２１に記憶されている目的地に関連する電話番号デ−タが読み出され、該電話番号デ−タに対応するＤＴＭＦ信号を発生させて、該ＤＴＭＦ信号を携帯電話１９に出力することができる。したがって、目的地の電話番号を自動的に携帯電話１９にダイヤルアップさせることができ、使用者は、ダイヤル入力を行なうことなく携帯電話１９の発信ボタンを押すだけで、通話接続することが可能となり、前記目的地に関する情報の取得や、必要な予約等を簡単に行なうことができるようになり、使い勝手の向上したナビゲ−ション装置を実現することができる。
【図面の簡単な説明】
【図１】本発明の実施の形態（１）に係る再生装置の要部を概略的に示したブロック図である。
【図２】実施の形態（１）に係る再生装置におけるオ−ディオマイコンと、携帯電話との間で行われるダイヤル処理動作を示したフロ−チャ−トである。
【図３】実施の形態（２）に係る再生装置が採用されたナビゲ−ション装置の要部を概略的に示したブロック図である。
【図４】実施の形態（２）に係る再生装置が採用されたナビゲ−ション装置におけるナビマイコンと、携帯電話との間で行われるダイヤル処理動作を示したフロ−チャ−トである。
【符号の説明】
１０  再生装置
１１  ＣＤ
１２  ＣＤドライブ
１５  オ−ディオマイコン
１７  信号ライン
１８  スピ−カ
１９  携帯電話
２０  ナビゲ−ション装置
２１  ＤＶＤ
２２  ＤＶＤドライブ
２４  ナビマイコン
２５  ＤＴＭＦ信号発生手段
【図１】
2004208137.tif 000003
【図２】
2004208137.tif 000004
【図３】
2004208137.tif 000005
【図４】
2004208137.tif 000006